(57)【要約】【課題】  集合玄関機や居室親機をデジタル化することなく、また処理能力を上げることなく、音声信号、映像信号の品質の改善が可能な集合住宅インターホンシステムを提供する。【解決手段】  制御機５に、集合玄関機１から送信される映像信号、音声信号等のアナログデータをデジタルデータに変換すると共に、集合玄関機１へ送信する制御信号、音声信号等のデジタルデータをアナログデータ変換する第１ＩＦ５１と、居室親機２から送信される制御信号、音声信号等のアナログデータをデジタルデータに変換すると共に、居室親機２へ送信する映像信号、音声信号等のデジタルデータをアナログデータに変換する第２ＩＦ５２とを設け、制御機５と集合玄関機１及び居室親機２との間はアナログデータにより通信し、制御機内はデジタルデータにより信号処理して、映像信号処理や音声信号処理を制御機で行うものとした。【選択図】  図１
2011055103.tif 000002
【特許請求の範囲】
【請求項１】
来訪者が居住者を呼び出すために集合住宅のエントランスに設置される集合玄関機と、前記集合玄関機からの呼び出しを報知し、居住者が応答するために個々の住戸に設置される居室親機と、前記集合玄関機及び前記居室親機が接続されて双方の間の通信を制御する制御機とを有する集合住宅インターホンシステムであって、
前記集合玄関機は来訪者を撮像するためのカメラを備えると共に、前記居室親機は前記カメラの撮像映像を表示するモニタを備え、
前記制御機は、前記集合玄関機及び前記居室親機から入力された信号の送信先を選択する交換制御に加え、
前記カメラによる撮像映像の映像信号処理として、映像ｃｈ交換制御、色相や彩度やγ等を補正する基本映像補正制御、スケーラ制御、デインターレース制御、画面分割制御、ノイズ軽減制御、ダイナミックレンジ改善制御、２Ｄ輪郭補償制御、超解像制御、人物検知／認証制御、自動追尾制御、映像圧縮制御、映像ｃｈ交換制御のうち少なくとも１つの制御と、
通話音声の音声信号処理としての音声ｃｈ交換制御、イコライザ制御、音響エコーキャンセラ制御、アクティブ・ノイズ・キャンセラ制御、帯域拡張制御、ピッチ変換制御、話速変換制御、フォルマント強調制御、立体音場処理制御、音声圧縮制御、声紋分析制御のうち少なくとも１つの制御と、を行うＣＰＵ、ＦＰＧＡ、ＤＳＰの少なくとも何れかで構成されたデジタル信号処理部を備え、
更に制御機は、前記集合玄関機と通信するために、前記集合玄関機から送信される制御信号、映像信号、音声信号のアナログデータをデジタルデータに変換すると共に、前記集合玄関機へ送信する制御信号、音声信号のデジタルデータをアナログデータに変換する第１インターフェースと、
前記居室親機と通信するために、居室親機から送信される制御信号、音声信号のアナログデータをデジタルデータに変換すると共に、前記居室親機へ送信する制御信号、映像信号、音声信号のデジタルデータをアナログデータ変換する第２インターフェースとを備え、
前記制御機と前記集合玄関機及び前記居室親機との間はアナログデータにより通信し、前記制御機内はデジタルデータにより信号処理することを特徴とする集合住宅インターホンシステム。
【請求項２】
管理人が来訪者や居住者と通話するための管理室親機を有し、
前記デジタル信号処理部は、前記管理室親機から入力された信号の送信先を選択する交換制御に加えて、前記管理室親機との間で前記少なくとも１つの映像信号処理制御、及び前記少なくとも１つの音声信号処理制御とを行い、
更に前記制御機は、前記管理室親機と通信するために前記管理室親機から送信される制御信号、音声信号のアナログデータをデジタルデータに変換すると共に、前記管理室親機へ送信する制御信号、映像信号、音声信号のデジタルデータをアナログデータ変換する第３インターフェースを備え、
前記管理室親機と前記制御機との間はアナログデータにより通信することを特徴とする請求項１記載の集合住宅インターホンシステム。
【請求項３】
監視カメラや共用部カメラ等のカメラ装置を備え、
前記デジタル信号処理部は、前記カメラ装置から送信された映像信号の送信先を選択する交換制御に加えて、前記カメラ装置から送信される映像信号の前記少なくとも１つの映像信号処理制御を行い、
更に前記制御機は、前記カメラ装置と通信するために前記カメラ装置から送信される映像信号のアナログデータをデジタルデータに変換すると共に、前記カメラ装置へ送信する制御信号のデジタルデータをアナログデータ変換する第４インターフェースを備え、
前記カメラ装置と前記制御機との間はアナログデータにより通信することを特徴とする請求項１又は２の何れかに記載の集合住宅インターホンシステム。
【発明の詳細な説明】
【技術分野】
【０００１】
本発明は、集合住宅インターホンシステムに関し、詳しくは集合玄関機や居室親機がアナログデータにより通信し、映像の加工等の複雑な制御を実施することのない機器であっても、映像信号処理や音声信号処理等のデータ加工を行うことができる集合住宅インターホンシステムに関する。
【背景技術】
【０００２】
集合住宅インターホンシステムは、エントランス等に集合玄関機を設置し、各住戸には居室親機を設置し、それらを制御機を介して接続して構成されている。そして、集合玄関機から訪問先の住戸が選択されて呼び出しが成されたら、制御機が呼出先の居室親機と通話路を形成して呼び出し及び通話を可能としている。このような従来の集合住宅インターホンシステムは、アナログ式が広く普及しており、各機器間の通信はアナログ信号（アナログデータ）で行っていたし、制御機は信号の送信先を選択して通話路を形成する交換制御のみ実施していた（例えば、特許文献１参照）。
【０００３】
一方で、デジタル式のものもあり、例えば特許文献２に記載された集合住宅インターホンシステムでは、集合玄関機、居室親機と制御機の通信、及び制御機内の交換制御や各接続機器の制御をデジタル信号により行った。この構成により、音声のデータや映像のデータをデジタル信号に変換して通信ができると共に、各機器間の多重通信ができ、アナログ通信に比べて伝送時間を短くし品質の良い通信を実施できた。
【先行技術文献】
【特許文献】
【０００４】
【特許文献１】特開２００３−２２４６７０号公報
【特許文献２】特開２００２−１６７１３号公報
【発明の概要】
【発明が解決しようとする課題】
【０００５】
上述したように、従来のアナログ式の集合住宅インターホンシステムでは、制御機と各接続機器の間の信号の伝送は、アナログデータにより行われ、制御機内部では送信先を選択する交換制御のみ実施するものであった。そのため、音声信号、映像信号の劣化を補正したりノイズを除去しようとした場合、居室親機等に補正回路を組み入れて行っていた。
この場合、制御機は、映像信号、音声信号のチャンネル数が増えると、交換制御するためのクロスポイントスイッチが多くなるためコストアップの要因となっていた。また、制御機には汎用性がないため、システム毎に設計する必要があり、これもコストアップにつながっていた。
一方で、デジタル式の集合住宅インターホンシステムは、アナログ式に比べて伝送時間を短く品質の良い通信を実施できたが、各機器のコストアップを招き、システム全体が高価なものとなっていた。
【０００６】
そこで、本発明はこのような問題点に鑑み、集合玄関機や居室親機をデジタル化することなく、また処理能力を上げることなく、音声信号、映像信号の品質の改善を可能とし、更に他システム制御機への展開が容易な制御機を備えた集合住宅インターホンシステムを提供することを目的としている。
【課題を解決するための手段】
【０００７】
上記課題を解決する為に、請求項１の発明は、来訪者が居住者を呼び出すために集合住宅のエントランスに設置される集合玄関機と、集合玄関機からの呼び出しを報知し、居住者が応答するために個々の住戸に設置される居室親機と、集合玄関機及び居室親機が接続されて双方の間の通信を制御する制御機とを有する集合住宅インターホンシステムであって、集合玄関機は来訪者を撮像するためのカメラを備えると共に、居室親機はカメラの撮像映像を表示するモニタを備え、制御機は、集合玄関機及び居室親機から入力された信号の送信先を選択する交換制御に加え、カメラによる撮像映像の映像信号処理として、映像ｃｈ交換制御、色相や彩度やγ等を補正する基本映像補正制御、スケーラ制御、デインターレース制御、画面分割制御、ノイズ軽減制御、ダイナミックレンジ改善制御、２Ｄ輪郭補償制御、超解像制御、人物検知／認証制御、自動追尾制御、映像圧縮制御、映像ｃｈ交換制御のうち少なくとも１つの制御と、通話音声の音声信号処理としての音声ｃｈ交換制御、イコライザ制御、音響エコーキャンセラ制御、アクティブ・ノイズ・キャンセラ制御、帯域拡張制御、ピッチ変換制御、話速変換制御、フォルマント強調制御、立体音場処理制御、音声圧縮制御、声紋分析制御のうち少なくとも１つの制御と、を行うＣＰＵ、ＦＰＧＡ、ＤＳＰの少なくとも何れかで構成されたデジタル信号処理部を備え、更に制御機は、集合玄関機と通信するために、集合玄関機から送信される制御信号、映像信号、音声信号のアナログデータをデジタルデータに変換すると共に、集合玄関機へ送信する制御信号、音声信号のデジタルデータをアナログデータに変換する第１インターフェースと、居室親機と通信するために、居室親機から送信される制御信号、音声信号のアナログデータをデジタルデータに変換すると共に、居室親機へ送信する制御信号、映像信号、音声信号のデジタルデータをアナログデータ変換する第２インターフェースとを備え、制御機と集合玄関機及び居室親機との間はアナログデータにより通信し、制御機内はデジタルデータにより信号処理することを特徴とする。
【０００８】
この構成によれば、制御機により様々な映像信号処理や音声信号処理を行うため、集合玄関機や居室親機の処理能力を上げることなく映像信号処理や音声信号処理を行うことができる。そして、制御機にはアナログデータを入力できるので、集合玄関機や居室親機として従来のアナログデータにより通信する機器が使用でき、制御機のみデジタル化する最小限のコスト増で通信品質の向上を図ることができるし、セキュリティ機能の向上も可能となる。
また、制御機のデジタル信号処理部は、ＣＰＵ、ＦＰＧＡ、ＤＳＰの少なくとも何れかで構成されるため、ソフトウェアの変更のみで他のシステムの制御機として容易に使用することが可能であり、汎用性を備えたものとなる。特に、ＦＰＧＡやＤＳＰを使用している場合は、ハードウエアを書き換えることで幅広く対応することが可能である。
【０００９】
請求項２の発明は、請求項１に記載の発明において、管理人が来訪者や居住者と通話するための管理室親機を有し、デジタル信号処理部は、管理室親機から入力された信号の送信先を選択する交換制御に加えて、管理室親機との間で少なくとも１つの映像信号処理制御、及び少なくとも１つの音声信号処理制御とを行い、更に制御機は、管理室親機と通信するために管理室親機から送信される制御信号、音声信号のアナログデータをデジタルデータに変換すると共に、管理室親機へ送信する制御信号、映像信号、音声信号のデジタルデータをアナログデータ変換する第３インターフェースを備え、管理室親機と制御機との間はアナログデータにより通信することを特徴とする。
この構成によれば、管理室親機を従来のアナログ処理する構成のままでも、管理室親機の処理能力を上げることなく、様々な映像信号処理や音声信号処理を実施できる。
【００１０】
請求項３の発明は、請求項１又は２に記載の発明において、監視カメラや共用部カメラ等のカメラ装置を備え、デジタル信号処理部は、カメラ装置から送信された映像信号の送信先を選択する交換制御に加えて、カメラ装置から送信される映像信号の少なくとも１つの映像信号処理制御を行い、更に制御機は、カメラ装置と通信するためにカメラ装置から送信される映像信号のアナログデータをデジタルデータに変換すると共に、カメラ装置へ送信する制御信号のデジタルデータをアナログデータ変換する第４インターフェースを備え、カメラ装置と前記制御機との間はアナログデータにより通信することを特徴とする。
この構成によれば、カメラ装置を従来のアナログ処理する構成のままでも、カメラ装置の処理能力を上げることなく、様々な映像信号処理を実施できる。
【発明の効果】
【００１１】
本発明によれば、制御機により様々な映像信号処理や音声信号処理を行うため、集合玄関機や居室親機の処理能力を上げることなく映像信号処理や音声信号処理を行うことができる。そして、制御機にはアナログデータを入力できるので、集合玄関機や居室親機を従来のアナログデータにより通信する機器を使用でき、制御機のみデジタル化する最小限のコスト増で通信品質の向上を図ることができる。
また、制御機のデジタル信号処理部は、ＣＰＵ、ＦＰＧＡ、ＤＳＰの少なくとも何れかで構成されるため、ソフトウェアの変更のみで他のシステムの制御機として容易に使用することが可能であり、汎用性を備えたものとなる。
【図面の簡単な説明】
【００１２】
【図１】本発明に係る集合住宅インターホンシステムの一例を示す構成図である。
【発明を実施するための形態】
【００１３】
以下、本発明を具体化した実施の形態を、図面に基づいて詳細に説明する。図１は、本発明に係る集合住宅インターホンシステムの構成図であり、１は来訪者が居住者を呼び出すために集合住宅のエントランスに設置される集合玄関機、２は集合玄関機１からの呼び出しを報知し、居住者が応答するために個々の住戸に設置される居室親機、３は管理室に設置されて管理人が来訪者又は居住者と通話するための管理室親機、４ａはエントランスや駐車場に設置されて不審者の侵入等を監視するための監視カメラ（カメラ装置４）、４ｂは廊下等の共用部に設置される共用部カメラ（カメラ装置４）、５は集合玄関機１や居室親機２等の接続機器間の通信を制御する制御機である。
【００１４】
集合玄関機１、管理室親機３、監視カメラ４ａ、共用部カメラ４ｂは何れも複数設置可能に構成され、専用の伝送線（図示せず）で制御機５に接続される。また、居室親機２は集合住宅内の各住戸に設置され、親機幹線（図示せず）により制御機５に接続される。
尚、制御機５には、イーサネット（登録商標）等の通信網を介してＷＥＢカメラ７、患者情報等が蓄積されたサーバ８が接続されるし、更にルータ９を介して公衆通信網Ｘ１やインターネットＸ２に接続して外部の図示しない通信端末と通信が可能となっている。
【００１５】
集合玄関機１は、呼び出し先の住戸を選択するためのテンキー等を備えた操作部１１、通話するためのマイク１２及びスピーカ１３、来訪者を撮像するためのカメラ１４等を備えている。
居室親機２は、呼び出しに対して応答するための通話ボタン２１、通話するためのマイク２２及びスピーカ２３、各種操作をする操作部２４、カメラ装置４やカメラ１４の撮像映像を表示するためのモニタ２５等を備えている。
また、管理室親機３は、管理室親機本体３ａとモニタ装置３ｂとで構成され、呼び出し先を選択するための操作部３１、通話するためのハンドセット３２、カメラ装置４やカメラ１４の撮像映像を表示するためのモニタ３３等を備えている。
【００１６】
制御機５は、図１のブロック図に示すように、集合玄関機１と通信するための第１インターフェース（第１ＩＦ）５１、居室親機２と通信するための第２インターフェース（第２ＩＦ）５２、管理室親機３と通信するための第３インターフェース（第３ＩＦ）５３、監視カメラ４ａや共用部カメラ４ｂ等のカメラ装置４と通信するための第４インターフェース（第４ＩＦ）５４、制御機５全体を制御すると共に各種映像信号処理及び音声信号処理を行うデジタル信号処理部５５等を備えている。このデジタル信号処理部５５は、Central Processing Unit（ＣＰＵ）、Field Programmable Gate Arrey（ＦＰＧＡ）、Digital Signal Processor（ＤＳＰ）の何れか、或いはこれらを組み合わせて構成される。
【００１７】
第１ＩＦ５１は、集合玄関機１から送信される映像信号、音声信号等のアナログデータをデジタルデータに変換すると共に、集合玄関機１へ送信する音声信号のデジタルデータをアナログデータに変換するＡＤ／ＤＡ変換回路（図示せず）を備えている。
第２ＩＦ５２は、居室親機２から送信される音声信号等のアナログデータをデジタルデータに変換すると共に、居室親機２へ送信する映像信号及び音声信号のデジタルデータをアナログデータに変換するＡＤ／ＤＡ変換回路（図示せず）を備えている。
更に第３ＩＦ５３は、第２ＩＦ５２と同等の機能を備えているし、第４ＩＦ５４は、カメラ装置４から送信される映像信号のアナログデータをデジタルデータに変換すると共に、カメラ装置４へ送信する制御信号のデジタルデータをアナログデータに変換するＡＤ／ＤＡ変換回路（図示せず）を備えている。
【００１８】
この結果、制御機５には接続機器からアナログデータが入力されるが、制御機５の内部ではデジタルデータに変換されて後述する各種処理がなされ、再びアナログデータに変換されて接続機器に出力される。この時、デジタル信号処理部５５は、接続された機器間の通信路を切り換える交換制御に加えて、受信した信号の種類に応じて所定の映像信号処理、音声信号処理を実施して、目的とする機器に出力される。
【００１９】
具体的に映像信号処理としては、接続機器間の映像路の交換を制御する映像ｃｈ交換制御、居室親機２のモニタ２５や管理室親機３のモニタ３３等の画面に表示される映像の色相、彩度、γ等を補正する基本映像補正制御、画面の画素数に合わせて受信した信号を変換するスケーラ制御、インターレース方式において画面上のブレを削減するために２つのフィールドをブレンドして走査線を消すデインターレース制御、画面を分割して複数の映像を表示させる画面分割制御、画面上のノイズを除去するノイズ軽減制御、画面上の明暗を調整するダイナミックレンジ改善制御、映像の輪郭を強調する２Ｄ輪郭補償制御、映像を高精細に或いはクリアにする超解像制御、映像から人物を検出し、更に人物の違いを見つける人物検知／認証制御、画面に映る人物等の物体を検知しズーム映像でパンチルト動作して追尾する自動追尾制御、ロッシー方式或いはロスレス方式によりデータを圧縮する映像圧縮制御等があり、これらを実施することができる。
【００２０】
そして、音声信号処理としては、接続機器間の通話路の交換を制御する音声ｃｈ交換制御、音像を明確にするために周波数特性を補正するイコライザ制御、音響帰還で発生するエコーをキャンセルする音響エコー・キャンセル制御、周囲で発生する音声以外の雑音を軽減或いは除去するアクティブ・ノイズ・キャンセル制御、音響回路で不足している周波数帯域を補完する帯域拡張制御、ボイスチェンジさせて音声を変更するピッチ変換制御、聞きやすくなるよう音声のスピードを変える話速変換制御、人の話し声を聞きやすくするためのフォルマント強調制御、臨場感を向上させる立体音場処理制御、ロッシー方式やロスレス方式により音声データを圧縮する音声圧縮制御、人物認証のための声紋分析制御等があり、これらを実施することができる。
【００２１】
但し、映像ｃｈ交換制御、音声ｃｈ交換制御以外の映像信号処理及び音声信号処理は、必要に応じて実施され、実施する内容に応じてＣＰＵ、ＦＰＧＡ、ＤＳＰが選択される。
その際、複数の制御を可能として使用環境に応じて動作させる制御を選択しても良いし、居室親機２等に、特定の制御を実施させる制御設定ボタンを設けて、通話中或いはカメラ装置４の映像表示中に制御を選択するようにしても良い。
【００２２】
尚、上記映像信号処理のうち、基本映像補正制御、デインターレース制御、ノイズ軽減制御、ダイナミックレンジ改善制御、２Ｄ輪郭補償制御は、主に人物の確認し易くするために行われ、画面分割制御、人物検知／認証制御、自動追尾、は主にセキュリティの向上に役立つ。
また、上記音声信号処理のうち、イコライザ制御、音響エコー・キャンセル制御、アクティブ・ノイズ・キャンセル制御、帯域拡張制御、ピッチ変換制御、話速変換制御、フォルマント強調制御、立体音場処理制御等は互いの音声を聞き取り易くするのに有効であるし、声紋分析制御はセキュリティの向上に役立つ。そして、映像圧縮制御や音声圧縮制御は、データの保存に有効なものとなる。
【００２３】
このように構成された集合住宅インターホンシステムの動作は以下のようである。最初に来訪者が集合玄関機１から居住者を呼び出した場合を説明する。集合玄関機１が操作され、住戸が選択されて呼び出しが成されると、呼出信号が制御機５を介して選択された住戸の居室親機２へ送信される。この時、呼出信号は制御機５においてデジタルデータに変換された後、デジタル信号処理部５５で呼出先が読み取られ、目的の居室親機２に対して再びアナログデータに変換された呼出信号が送信される。
【００２４】
また、呼出操作を受けてカメラ１４が起動して、その撮像映像が送信される。この映像信号も集合玄関機１からアナログデータで送信されるが、制御機５内でデジタルデータに変換されて信号処理が行われ、再びアナログデータに変換されて居室親機２へ送信される。この時、制御機５は予め設定或いは選択された映像信号処理を実施し、呼出先の居室親機２へ送信される。例えば、基本映像補正制御、スケーラ制御がデジタル信号処理部５５で実施され、居室親機２へ送信される。
【００２５】
呼出信号を受けた居室親機２は、呼出音を報音すると共に信号処理された来訪者の映像をモニタ２５に表示する。この呼出音を受けて、居住者により居室親機２の通話ボタン２１が操作されて応答が成されると、制御機５のデジタル信号処理部５５が集合玄関機１と居室親機２との間で通話路を形成し、来訪者と居住者の通話が可能となる。こうして、居住者は来訪者映像を見ながら応答することができる。この時、制御機５は、予め設定或いは選択された音声信号処理、例えば、イコライザ制御、音響エコー・キャンセラ制御を実施して出力する。
その後、所定時間が経過したら、或いは居室親機２において終話操作が成されたら、通話路は切断され、またカメラ１４の撮像は終了して待受状態に戻る。
【００２６】
次に、管理室親機３と居室親機２の間の通話を説明する。管理室親機３から任意の居室親機２を呼び出して通話することができ、管理室親機３の所定の操作により居室親機２を選択（住戸を選択）して呼出操作する。すると、呼出信号が制御機５へ送信され、制御機５では上述した集合玄関機１からの呼び出しと同様に呼出先を読み取り、呼出先の居室親機２に対して呼出信号を送信する。この呼出信号を受けた居室親機２は呼出報音がなされ、居住者により応答操作されると通話路が形成されて通話が可能となる。
逆に、居室親機２の操作部２４を操作して管理室親機３を呼び出すと、制御機５を経由して呼出信号が管理室親機３へ送信され、管理室親機３のハンドセット３２が外されて応答操作が成されると通話路が形成される。
【００２７】
そして、この場合も集合玄関機１と居室親機２の間の通話と同様に、アナログデータで制御機５に入力された音声信号はデジタルデータに変換され、予め設定された音声信号処理が成されて再びアナログデータに変換され、居室親機２或いは管理室親機３へ送信される。具体的に、デジタル信号処理部５５は、イコライザ制御、音響エコー・キャンセラ制御等を実施し、音声信号処理された音声が居室親機２のスピーカ２３及び管理室親機３のハンドセット３２から出力される。尚、この場合カメラは無いため映像信号の送信は行わない。
【００２８】
次に、カメラ装置４が動作した場合を説明する。居室親機２、或いは管理室親機３の所定の操作により、監視カメラ４ａ或いは共用部カメラ４ｂ等の撮像映像が居室親機２のモニタ２５、或いは管理室親機３のモニタ３３に表示される。この場合も集合玄関機１のカメラ１４の撮像映像を居室親機２のモニタ２５に表示させる場合と同様に、アナログデータで入力された映像信号が制御機５の内部でデジタルデータに変換され、所定の映像信号処理が成されて再びアナログデータに変換され、居室親機２或いは管理室親機３へ送信される。
【００２９】
また、居室親機２からは、所定のボタン操作でイーサネット（登録商標）を介して接続されているＷＥＢカメラ７の撮像映像を見ることができるし、サーバ８やインターネットＸ２等にアクセスして必要とする情報を入手することも可能となっている。この操作の場合、制御機５とＷＥＢカメラ７等はデジタルデータにより通信される。
【００３０】
このように、制御機５により様々な映像信号処理や音声信号処理を行うため、集合玄関機１、居室親機２、更には管理室親機３の処理能力を上げることなく映像信号処理や音声信号処理を行うことができる。そして、制御機５にはアナログデータを入力できるので、集合玄関機１、居室親機２、また管理室親機３として従来のアナログデータにより通信する機器が使用でき、制御機５のみデジタル化する最小限のコスト増で通信品質を向上させることができるし、セキュリティ機能の向上も可能となる。
また、制御機５のデジタル信号処理部５５は、ＣＰＵ、ＦＰＧＡ、ＤＳＰの少なくとも何れかで構成されるため、ソフトウェアの変更により他のシステムの制御機として使用することが可能であり、汎用性を備えたものとなる。特に、ＦＰＧＡやＤＳＰを使用している場合は、ハードウエアを書き換える僅かな変更で幅広く対応することが可能である。
更に、カメラ装置４も従来のアナログ処理する構成のままでも、カメラ装置４の処理能力を上げることなく、様々な映像信号処理を実施できる。
【００３１】
尚、上記実施形態では、居室親機２と管理室親機３でカメラ１４やカメラ装置４の撮像映像を表示する構成となっているが、制御機５にモニタ機能を備えたパーソナルコンピュータ等の情報端末を接続すれば、デジタルデータから成る映像をアナログ変換すること無く見ることも可能である。
また、監視カメラ４ａと共用部カメラ４ｂを同一のインターフェースである第４ＩＦ５４に接続しているが、勿論異なるインターフェースとしても良い。
【符号の説明】
【００３２】
１・・集合玄関機、２・・居室親機、３・・管理室親機、４（４ａ，４ｂ）・・カメラ装置、５・・制御機、１４・・カメラ、２５・・モニタ、３２・・ハンドセット、３３・・モニタ、５１・・第１インターフェース、５２・・第２インターフェース、５３・・第３インターフェース、５４・・第４インターフェース、５５・・デジタル信号処理部。
【図１】
2011055103.tif 000003